(57)【要約】【課題】  従来の登山用ハーネスと垂直面用ハーネスは、長時間ぶら下がって作業をしていると、従来の腿ベルトには体重のほとんどがかかっているため腿ベルト周りが痛くなってきて、長時間の作業には適していないものであった。【解決方法】  腿ベルト３と尻ベルト２を１本のベルトで連続して作り、その分岐点５を縫わないで、前部吊ベルト４の末端の中に挿通してスライドできるようにしておくことで、腿ベルト３と尻ベルト２に体重を常に均等に分散させることができるようにして、長時間ぶら下がって作業しても腿ベルト周りの痛みが軽減され、作業能率を向上させるものである。【選択図】  図１
0003103172.tif 000002
【実用新案登録請求の範囲】
【請求項１】
一本のベルトの左右末端にループ（１）を設け、ベルトの中央部を尻ベルト（２）とし、左右の部分を大腿部の付け根に回して腿ベルト（３）としておき、左右末端のループ（１）と、腿ベルト（３）と尻ベルト（２）の分岐点（５）の２ヶ所を前部吊りベルト（４）の末端のループの中に挿通すことにより腿ベルト（３）がループの形を維持すると共に尻ベルト（２）と腿ベルト（３）の長さが同時に反対方向に変化、連動するように構成することで、ハーネスにぶら下がった時の体重を腿ベルト（３）と尻ベルト（２）に常に均等に分散させることを特徴とする尻ベルト一体型腿ベルト。
【考案の詳細な説明】
【考案の詳細な説明】
【技術分野】
【０００１】  図２に示すような従来の登山用ハーネスや垂直面用ハーネスは、登山や高所作業でロープにぶらさがって長時間作業しているど腿ベルト７に体重のほとんどが架かっているため腿ベルト周りが痛くなってくるものだった。
本考案は、ぶら下がったときの腿ベルトにかかる体重をより広い面積に分散させることで、腿ベルト周りの痛みを軽減しようとすることを目的とする登山用ハーネスおよび垂直面用ハーネスの腿ベルトの改良に関するものである。
【従来の方法】
【０００２】  従来の方法として、図３のように腿ベルト７の幅を広くする方法がある。ところがこの方法ではあまり広くすると脚の動きを妨げてしまう欠点があるうえ、体重がかかるとずり上がって腿ベルトの一部が股関節に寄せ集まってしわになってしまい、そのしわが痛くなってしまうという欠点もあった。そのためこの方法では少ししか幅を広げられず効果はあまりないものであった。
【０００３】  もう一つの方法として、図４に示すように、腿ベルト７の他に追加的に尻ベルト２を前部吊ベルト４に取り付ける方法がある。
【本考案が解決しようとする課題】
【０００４】  しかしこの方法では、その尻ベルト２の長さが問題となる。例えば尻ベルト２が長すぎると、尻ベルト２に体重を分散させることができない。短すぎると、尻ベルト２にばかり体重がかかってしまう。体重を均等に分散させるための尻ベルト２の長さと腿ベルト７の長さのバランスをみつけるのが非常に難しいという問題点があった。
【０００５】  又、ハーネスにぶら下がった時の姿勢は一定ではない。腰が曲がっていてブランコにぶら下がったような姿勢になることもあれば、腰が伸びて立ったような姿勢になることもある。そのため、仮に尻ベルト２の長さがきまっていると、ぶら下がった時の姿勢が変わった時に体重を均等に分散させるということができないという問題点もあった。
そのため、この方法は２０年程前に製品化されたが、普及しなかった。現在でも市販されていない。
【課題を解決するための手段】
【０００６】  上述のブランコにぶら下がったような姿勢や立ったような姿勢でも体重を均等に分散させるために、尻ベルト２の長さと腿ベルト３の大きさが自動的に変化・調整できるように、尻ベルト２と腿ベルト３を１本のベルトで連続して作り、その分岐点５を縫わないで、前部吊ベルト４の末端の中を挿通してスライドできるようにしておき、左右末端のループ１も腿ベルト３が輪の形を維持できるように前部吊ベルト４の末端の中を通して繋げておく。
【実施例】
【０００７】  本考案の実施例を図面を参照して説明する。
（実施例１）図１と図５で示すように、一本のベルトの左右末端にループ１を設け、ベルトの中央部を尻ベルト２とし、左右の部分を大腿部の付け根に回して腿ベルト３としておき、左右末端のループ１と、腿ベルト３と尻ベルト２の分岐点５の２ヶ所を前部吊りベルト４の末端のループの中に挿通すことにより腿ベルト３がループの形を維持するように組み合わせておく。そして後部吊ベルトと腿ベルトは、後部吊ベルトが腿ベルトを包むように折り返して縫着するが、その折り返し部分を長くして尻ベルト２が腿ベルト３の上部に来るようにして、なおかつその位置が上下にずれないように、後部吊ベルトに尻ベルト挿通部分６を設けておく構造を有している。【０００８】  本考案を使用したハーネスを装着した時の図を図７、図８，図９で示しておく。【０００９】  （実施例２）図６では、腿ベルト２と尻ベルト３の分岐点５が、尻ベルト一体型腿ベルトの末端のループ１の中も挿通していることを示しているが、同じ効果がある。
【本考案の効果】
【００１０】  体重が均等に分散されていない時は、腿ベルト３の大きさと尻ベルト２の長さがアンバランスの時であるが、本考案のようにすると、腿ベルト３により多く体重がかかっている場合は大きくなり、同時に少ない体重のかかっている尻ベルト２は短くなることで、体重がかかったときの姿勢に合うように腿ベルト３の大きさと尻ベルト２の長さが自動的に反対方向に調整され、バランスがとれる。これにより体重も常に均等に分散されるので、長時間ハーネスにぶらさがって作業しても腿ベルト周りの痛みを軽減することができ、作業能率が向上する。
【図面の簡単な説明】
【図１】  本考案の尻ベルト一体型腿ベルトを使用したハーネスの立体図である。
【図２】  腿ベルト７と胴ベルト１１を主な構成部分とする従来のハーネスの立体図である。
【図３】  腿ベルト７の幅を広げた従来のハーネスの立体図である。
【図４】    従来のハーネスの腿ベルト７に追加的に尻ベルト２を取り付けるハーネスの立体図である。
【図５】  本考案の左右末端のループ１と、腿ベルト３と尻ベルト２の分岐点５が、前部吊ベルト４の末端の中を挿通している部分の拡大立体図である。
【図６】  本考案の腿ベルト３と尻ベルト２の分岐点５が、前部吊ベルト４の末端の中と左右末端のループ１の中の両方を挿通している部分の拡大立体図である。
【図７】  本考案を採用したハーネスを装着したときの正面図
【図８】  本考案を採用したハーネスを装着したときの側面図
【図９】  本考案を採用したハーネスを装着したときの背面図
【符号の説明】
１  左右末端のループ
２  尻ベルト
３  腿ベルト
４  前部吊ベルト
５  尻ベルトと腿ベルトの分岐点
６  尻ベルト挿通部分
７  従来の腿ベルト
８  後部吊ベルト
９  ビレイ用ループ（Ｏ環）
１０  バックル
１１  胴ベルト
【図１】
0003103172.tif 000003
【図２】
0003103172.tif 000004
【図３】
0003103172.tif 000005
【図４】
0003103172.tif 000006
【図５】
0003103172.tif 000007
【図６】
0003103172.tif 000008
【図７】
0003103172.tif 000009
【図８】
0003103172.tif 000010
【図９】
0003103172.tif 000011